(57)【要約】【課題】  撮像装置の構成要素の配置バランスを最適化して、小型・薄型化する。【解決手段】  撮像装置１０の筐体１１は一端部側の略中央部分をその長手方向に切り欠いた切り欠き部５１を備え、この切り欠き部によって切り欠き部を境として一方側に位置する第１の空間と切り欠き部を境として他方側に位置する第２の空間とが規定されている。この第１の空間にはストロボ用コンデンサが配置され、第２の空間には駆動用モータが配置されている。そして、第１及び第２の空間との間に規定された第３の空間には、駆動用モータで駆動される撮像レンズ体を備えるレンズユニットが配置されている。【選択図】  図６
2006064780.tif 000002
【特許請求の範囲】
【請求項１】
一端部側の略中央部分をその長手方向に切り欠いた切り欠き部を備え該切り欠き部によって該切り欠き部を境として一方側に位置する第１の空間と前記切り欠き部を境として他方側に位置する第２の空間とが規定された筐体と、
前記第１の空間に配置されたストロボ用コンデンサと、
前記第２の空間に配置された駆動用モータと、
前記第１及び前記第２の空間との間に規定された第３の空間に配置され前記駆動用モータで駆動される光学素子を備える撮像部材とを有する撮像装置。
【請求項２】
前カバー及び後カバーを有し上下方向の長さが左右方向の長さより長い略直方体形状であり、上端部側の略中央部分をその長手方向に切り欠いた切り欠き部を備え該切り欠き部によって該切り欠き部を境として左側及び右側のうちの一方に位置する第１の空間と前記切り欠き部を境として左側及び右側のうちの他方に位置する第２の空間とが規定された筐体と、
前記筐体内に前記長手方向に延在して配置されたベース部材と、
前記前カバーと前記ベース部材との間で前記第１の空間に配置されたストロボ用コンデンサと、
前記前カバーと前記ベース部材との間で前記第２の空間に配置された駆動用モータと、
前記前カバーと前記ベース部材との間で、前記第１及び前記第２の空間との間に規定された第３の空間に配置され前記駆動用モータで駆動される光学素子を備える撮像部材とを有する撮像装置。
【請求項３】
ストロボ発光部と前記光学素子をカバーするカバー部を備え略直方体形状のストロボ部材を有し、
前記切り欠き部に前記ストロボ部材が上下方向に移動可能に配置され、前記ストロボ部材の移動に応じて前記光学素子を選択的に露出させるようにしたことを特徴とする請求項１又は２記載の撮像装置。
【請求項４】
前記筐体に着脱可能な記録媒体と、該記録媒体を前記筐体に保持する記録媒体保持部材と、前記筐体に着脱可能なバッテリと、電子部品が搭載された主基板と、画像を表示する表示素子と、操作部が搭載された副基板とをさらに有し、
前記ベース部材は、前記筐体の上部側で被写体側に前記撮像部材を固定するとともに、前記筐体の上部側で前記被写体側と反対側の後方に前記表示素子を固定し、さらに前記筐体の下部側で前記被写体側に前記主基板を固定して前記筐体の下部側で前記後方に前記記録媒体保持部材を固定しており、
前記主基板と前記前カバーの下部との間に前記バッテリを収納するための収納空間が規定され、
前記筐体の上部側に前記被写体側から順次前記撮像部材及び前記表示素子が積層配置され、
前記筐体の下部側に前記被写体側から前記バッテリ、前記主基板、前記記録媒体保持部材、及び前記副基板が順次積層配置されていることを特徴とする請求項２又は３記載の撮像装置。
【請求項５】
開位置で前記記録媒体及び前記バッテリを前記筐体から挿抜可能とし、閉位置で前記記録媒体及び前記バッテリを保護して開閉自在な蓋部材をさらに備え、
前記筐体の底面に前記前カバー及び前記後カバーより突出して前記蓋部材が配置され、該蓋部材で前記筐体を自立させることを特徴とする請求項２〜４いずれか１項記載の撮像装置。
【発明の詳細な説明】
【技術分野】
【０００１】
本発明は、電子カメラ（デジタルカメラ）等の撮像装置に関し、特に、小型で薄型の撮像装置に関するものである。
【背景技術】
【０００２】
一般に、デジタルカメラ等の撮像装置（以下単にカメラと呼ぶ）において、少なくともカメラ筐体（カメラフレーム）に制御基板、電池（バッテリ）、メモリ、撮像レンズ、表示部（液晶ディスプレイ：ＬＣＤ）、及びストロボ用コンデンサが収納又は取り付けられており、カメラ自体を小型・薄型化する際には、これら制御基板、電池、メモリ、撮像レンズ、ＬＥＤ、及びストロボ用コンデンサの配置を適正化する必要がある。つまり、カメラにおいては、携帯性を確保するため小形薄型化が要求され、かつ種々の撮影モードを使用可能な機能を多数備えたものが要求されており、このための、制御基板、電池、メモリ、撮像レンズ、ＬＥＤ、及びストロボコンデンサの配置を適正化する必要がある。
【０００３】
従来、カメラを小型化するとともに、操作性及び信頼性を向上するため、カメラ筐体に着脱自在なメモリ及び電池を備えて、開位置においてメモリを挿抜可能とし閉位置にてメモリを保護する開閉自在な蓋部材を有して、蓋部材が長手方向全幅よりも狭い幅の腕部とこの腕部の先端に回転中心部とを備え、蓋閉時に蓋部材の全幅と腕部の幅の差によって形成されるカメラ筐体の間隙に電池を収納するようにしたものがあり、ここでは、横型のカメラ筐体の位置側面側に電池及びメモリカードを配置して、この一側面に前側に開く蓋部材を配置するようにしている。
【０００４】
さらに、カメラ筐体の一側面側に電池室を設けて、この電池室に電池を収納し、電池室を電池蓋で覆うようにしたものがあり、ここでは、電池に近接して電気部品駆動制御を行いやすい位置にある電池蓋に電子回路を配置するようにしており、横型のカメラ筐体の一側面側に電池を配置して、この一側面に電池交換用の開閉蓋（電池蓋）を配置するようにしている。
【０００５】
また、カメラを小型・薄型化するため、カメラ筐体の光入射部の近傍に光軸折り曲げ用の反射面を備えて、反射後の光軸方向が長手方向となるように形成して、この長手方向がカメラ底面と平行となるように撮像光学系をカメラ筐体内に配置し、撮影光学系の上方領域に、その長手方向が撮影光学系の長手方向と平行となるように光学ファインダを配置して、撮影光学系の下方領域に、その長手方向が撮影光学系の長手方向と平行となるようにストロボコンデンサを配置するようにしたものがあり、ここでは、横型のカメラ筐体の一側面側に電池、制御基板、メモリカードを積層配置して、カメラ筐体の他側面側に９０度光路屈曲用の光学素子とＬＣＤを積層配置し、さらに、光学素子の下側にストロボコンデンサ、光学素子の上側に光学ファインダを積層配置するようにしている。
【０００６】
加えて、小型で且つ良好な光学的特性を有する縦形の電子カメラを得るため、被写体光を入射させるための光入射部を備えた前面部の形状を、カメラ正面から見て上下方向に長い縦長形状として、光入射部の近傍に反射後の光軸がカメラ筐体の底面に平行な横方向を向くように光軸を折り曲げる反面を備えて、カメラ筐体を縦方向に二分するように、カメラ筐体の横方向の略全域を占めるようにして撮影光学系を配置して、縦方向に二分されたカメラ筐体の上部領域に、少なくともストロボコンデンサ、光学ファインダ、及びストロボ発光器を含むユニット群を配置するようにしたものがあり、ここでは、縦型カメラ筐体の下側にメモリカード、制御基板、電池、及びＬＣＤを積層配置して、カメラ筐体の上側に光学素子とストロボコンデンサとを配置するようにしている。
【０００７】
さらに、小型軽量のコンパクトカメラを提供するため、レンズ鏡枠を中心としてその右側のグリップ側の筐体内に折畳式基板、メディアホルダ、及びスイッチ操作部を収容し、反対側の筐体内にストロボフラッシュ及びズームモータ等を収容して、電気回路（制御基板）をノイズ発生源から遠ざけ、電池をカメラ筐体の下部に収容するようにしたものがある（特許文献１参照）。
【０００８】
【特許文献１】特開２００３−５２６７公報（段落（０００５）〜段落（００１２）、第１図〜第５図）
【発明の開示】
【発明が解決しようとする課題】
【０００９】
ところで、従来のカメラにおいては、小型・薄型化を追求しているものの、カメラが備える多数の構成要素（例えば、制御基板、電池、メモリ、撮像レンズ、ＬＥＤ、及びストロボコンデンサ等）を適正に配置して、カメラ自体のバランスを最適にして、小型・薄型化を行うことができず、結果的にカメラ構成要素の配置バランスが悪くなってしまうという課題がある。
【００１０】
そして、従来のカメラにおいては、ストロボ用コンデンサと撮像レンズ駆動用のモータとを適正に配置することが難しく、その結果、カメラ構成要素全体の配置バランスが悪くなってしまい、カメラ自体を小型・薄型化することが難しいという課題がある。
【００１１】
従って、本発明はかかる従来技術の問題に鑑み、カメラ構成要素の配置バランスを最適化して小型・薄型の撮像装置を提供することを目的とする。
【課題を解決するための手段】
【００１２】
そこで、本発明はかかる課題を解決するために、撮像装置は、一端部側の略中央部分をその長手方向に切り欠いた切り欠き部を備え該切り欠き部によって該切り欠き部を境として一方側に位置する第１の空間と前記切り欠き部を境として他方側に位置する第２の空間とが規定された筐体と、前記第１の空間に配置されたストロボ用コンデンサと、前記第２の空間に配置された駆動用モータと、前記第１及び前記第２の空間との間に規定された第３の空間に配置され前記駆動用モータで駆動される光学素子を備える撮像部材とを有することを特徴とするものである。
【００１３】
さらに、本発明によれば、前カバー及び後カバーを有し上下方向の長さが左右方向の長さより長い略直方体形状であり、上端部側の略中央部分をその長手方向に切り欠いた切り欠き部を備え該切り欠き部によって該切り欠き部を境として左側及び右側のうちの一方に位置する第１の空間と前記切り欠き部を境として左側及び右側のうちの他方に位置する第２の空間とが規定された筐体と、前記筐体内に前記長手方向に延在して配置されたベース部材と、前記前カバーと前記ベース部材との間で前記第１の空間に配置されたストロボ用コンデンサと、前記前カバーと前記ベース部材との間で前記第２の空間に配置された駆動用モータと、前記前カバーと前記ベース部材との間で、前記第１及び前記第２の空間との間に規定された第３の空間に配置され前記駆動用モータで駆動される光学素子を備える撮像部材とを有する撮像装置が得られる。
【００１４】
また、本発明では、ストロボ発光部と前記光学素子をカバーするカバー部を備え略直方体形状のストロボ部材を有し、前記切り欠き部に前記ストロボ部材が上下方向に移動可能に配置され、前記ストロボ部材の移動に応じて前記光学素子を選択的に露出させるようにする。
【００１５】
そして、本発明では、前記筐体に着脱可能な記録媒体と、該記録媒体を前記筐体に保持する記録媒体保持部材と、前記筐体に着脱可能なバッテリと、電子部品が搭載された主基板と、画像を表示する表示素子と、操作部が搭載された副基板とをさらに有して、前記ベース部材は、前記筐体の上部側で被写体側に前記撮像部材を固定するとともに、前記筐体の上部側で前記被写体側と反対側の後方に前記表示素子を固定し、さらに前記筐体の下部側で前記被写体側に前記主基板を固定して前記筐体の下部側で前記後方に前記記録媒体保持部材を固定して、前記主基板と前記前カバーの下部との間に前記バッテリを収納するための収納空間が規定されて、前記筐体の上部側に前記被写体側から順次前記撮像部材及び前記表示素子が積層配置され、前記筐体の下部側に前記被写体側から前記バッテリ、前記主基板、前記記録媒体保持部材、及び前記副基板が順次積層配置されている。
【００１６】
本発明では、開位置で前記記録媒体及び前記バッテリを前記筐体から挿抜可能とし、閉位置で前記記録媒体及び前記バッテリを保護して開閉自在な蓋部材をさらに備え、前記筐体の底面に前記前カバー及び前記後カバーより突出して前記蓋部材が配置され、該蓋部材で前記筐体を自立させるようにする。
【発明の効果】
【００１７】
以上のように、本発明の撮像装置は、筐体がその一端部側の略中央部分をその長手方向に切り欠いた切り欠き部を備えて、この切り欠き部によって切り欠き部を境として一方側に位置する第１の空間と切り欠き部を境として他方側に位置する第２の空間とを規定して、第１の空間にストロボ用コンデンサを配置し、第２の空間に駆動用モータを配置して、さらに第１及び第２の空間との間に規定された第３の空間に駆動用モータで駆動される光学素子を備える撮像部材を配置するようにしたので、表示素子、操作部、及びバッテリという主要デバイスを筐体の前後方向に２要素づつ積層配置することができる結果、撮像装置のバランスを均等にすることができ、撮像装置の構成要素の配置バランスを最適化して小型・薄型化できるという効果がある。
【発明を実施するための最良の形態】
【００１８】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【実施例１】
【００１９】
図１及び図２を参照して、ここでは、撮像装置の一例として電子カメラ（デジタルスチルカメラ（ＤＳＣ））を例に挙げて説明する。図１は電子カメラ１０を正面側（被写体側）から示す斜視図であり、図２は電子カメラ１０を背面側から示す斜視図である。図示の電子カメラ１０はカメラ筐体１１を有し、このカメラ筐体１１の前面（正面：被写体）側には、光学素子である撮像レンズ体（図１及び図２には示されていない）が装着されている。この撮像レンズ体はレンズユニット（撮像部材）の一部を構成し、図示はしないが、レンズユニットはさらにシャッタ機構及びＣＣＤ（電荷結合素子）を有している。
【００２０】
さらに、カメラ筐体１１にはスライドカバー部（ストロボ部材）１２が装着され、このスライドカバー部１２はカメラ筐体１１に、図１に実線矢印で示す方向にスライド可能に支持されており、このスライドカバー部１２によって非撮影時には撮像レンズ体が保護される。つまり、スライドカバー部１２は撮像レンズ体を覆う第１の位置と撮像レンズ体を露出させる第２の位置との間でスライド可能となっている。
【００２１】
このスライドカバー部１２は、正面側に位置する正面部（レンズカバー部）１２ａ、正面側から見て上面側に位置する上面部１２ｂと、背面側に位置する背面部（表示部カバー部）１２ｃとを有しており、カメラ筐体１１を正面部１２ａと背面部１２ｃとで挟むようにして、カメラ筐体１１にスライド可能に配置されている。図示の例では、正面部１２ａから上面部１２ｂにわたって、つまり、二面にわたってストロボ発光部１３が形成されており、このストロボ発光部１３からストロボ撮影の際光が発光される。
【００２２】
図２に示すように、カメラ筐体１１の背面には表示素子（例えば、液晶ディスプレイ（ＬＣＤ））１４が配置されるとともに、操作部１５が配置されており、操作部１５には、例えば、モードダイヤル、及び各種ファンクションキー等が備えられている。そして、前述の第１の位置にスライドカバー部１２が位置付けられている際には、背面部１２ｃによって液晶ディスプレイ１４の一部分が覆われた状態となる（背面部１２ｃは液晶ディスプレイ１４の全てを覆うようにしてもよいが、少なくとも液晶ディスプレイ１４の一部を覆うようにすればよい）。
【００２３】
図３及び図４を参照して、図３は撮影時の電子カメラ１０を正面側から見た斜視図であり、図４は背面側から見た斜視図である。電子カメラ１０で撮影を行う際には、スライドカバー部１２を上側に第１の位置から第２の位置にスライドさせる。これによって、図３に示すように、撮像レンズ体２１が露出し、主電源がオン状態となって、液晶ディスプレイ１４が明るくなる。
【００２４】
この際、図４に示すように、スライドカバー部１２の背面部１２ｃがスライドして、液晶ディスプレイ１４の全てが露出することになる。また、スライドカバー部１２のスライドによってストロボ発光部１３は撮像レンズ体２１の取付位置よりもさらに外側に移動することになって、ストロボ撮影の際には、撮像レンズ体２１とストロボ発光部１３との距離が大きくなる。
【００２５】
図４に示すように、シャッターボタン２２は撮像装置本体１１の上面の一端部側に配置されており、スライドカバー部１２はシャッターボタン２２の配置された一端部側とは逆の端部側方向にスライドする。ストロボ撮影を行う際には、操作部１５によってストロボ撮影モードをオンするとともに、各種撮影モード、画像再生モード、及びフラッシュ待ち時間等を設定する。この各種撮影モードには、例えば、「通常撮影」、「連写撮影」、「ファイン撮影」、「静止画」、及び「動画」等があり、画像再生モードには「静止画」及び「動画」等がある。
【００２６】
そして、画像再生モードを設定すると、撮影後液晶画面に撮影した画像が再生表示される。これら各種撮影モード、画像再生モード、及びフラッシュ待ち時間等は動作モードと呼ばれ、撮像装置本体１１に収納されたマイクロプロセッサ（制御手段及び電源オン手段：図示せず）は動作モードに応じて、光の強さ、色を変化させることや点滅させる等ストロボ発光部１３からの発光を制御することができる。
【００２７】
前述のシャッタ機構は、例えば、オートフォーカス（ＡＦ）機構、絞り機構、及びフィルタ機構等を有しており、レリーズ時における露光を制御する。撮像レンズ体２１から入射した被写体等の光学像は、ＣＣＤに結像されて光学像を電気信号に変換される。そして、マイクロプロセッサによってＣＣＤからの出力信号（電気信号）は、所定のサンプリング周波数でサンプリングされてデジタル値（デジタル画像データ）に変換され、デジタル画像データを色差成分と輝度成分に分けて、例えばＪＰＥＧ（Ｊｏｉｎｔ  Ｐｈｏｔｏｇｒａｐｈｉｃ  Ｅｘｐｅｒｔｓ  Ｇｒｏｕｐ）準拠の画像圧縮／伸長のための直交変換及びハフマン符号化／復号化等の処理が行われる。そして、このようにして圧縮処理された画像データは一旦メモリに記憶される。
【００２８】
つまり、図示の電子カメラでは、レリーズボタン又はシャッターボタン２２を押下する以前から、ＣＣＤによって捉えられている画像を液晶ディスプレイにリアルタイムで表示し、液晶ディスプレイは電子的に撮像視野を確認するための電子ファインダ機能を有しており、この電子ファインダを観察しつつ、レリーズボタン等を操作して撮像を行うことになる。この際、必要に応じてストロボ発光部を発光させることになる。そして、撮像によって得られた画像データは、ファンクションキーによって再生操作を行うと、随時撮像結果として液晶ディスプレイ１４に表示される。
【００２９】
このようにして、液晶ディスプレイ１４には撮像前及び撮像中のデジタル画像データがリアルタイムで表示され、電子ファインダとして機能し、さらに、撮像後のデジタル画像データ及び伸長されて復元された記録画像データが表示される。また、液晶ディスプレイ１４には電子カメラの動作状態等のモード表示が行われる。なお、電子カメラの電源部には、バッテリが用いられ、バッテリは、Ｎｉ−Ｃｄ（ニッケルカドミウム）電池、ニッケル水素電池、又はリチウムイオンの充電式電池等が用いられる。
【００３０】
図４に示すように、カメラ筐体１１の底面には蓋部（蓋部材）２３がカメラ筐体に対して開閉自在に配置されており、バッテリを交換する際には、蓋部材２３を開いてバッテリを交換することになる。また、メモリ（記録媒体）をカメラ筐体１１に挿入する際にも、蓋部材２３を開いてメモリをカメラ筐体１１に挿入することになる。つまり、蓋部材２３を開位置とすると、カメラ筐体１１からメモリ及びバッテリが挿抜可能となり、蓋部材２３を閉位置とすると、メモリ及びバッテリが閉塞されることになって、メモリ及びバッテリが保護されることになる。
【００３１】
図１〜図４に示すように、カメラ筐体１１は正面側に位置する前カバー１１ａ及び背面側に位置する後カバー１１ｂを備えており、蓋部材２３は前カバー１１ａ及び後カバー１１ｂの下端よりもその表面が僅かに突出しており、蓋部材２３を閉じた状態では、図５に示すように、蓋部材２３の表面を載置面として用いて、電子カメラ１０をサイドボード上に置くことができる。つまり、カメラ筐体１１を蓋部材２３によって自立させることができる。
【００３２】
図６はカメラ筐体１１をスライドカバー部１２を取り外した状態で示す斜視図であり、図７は電子カメラ１０をカメラ筐体を省略するとともに撮像レンズ体２１及びスライドカバー部１２を省略してスライド発光部１３とともに正面側から示す斜視図である。図６に示すように、カメラ筐体１１の一端部側（上端側）の略中央部分はその長手方向に切り取られて切り欠き部５１が形成され、略コ字状の端部形状となっている。そして、この切り欠き部５１の終端（底部）には撮像レンズ体２１を保持するためのレンズユニット筐体３２ａが位置付けられている。
【００３３】
図示のように、切り欠き部５１を境として、カメラ筐体１１の左右にはそれぞれカメラ筐体１１によって第１及び第２の空間（図示せず）が規定されており、これら第１及び第２の空間にはそれぞれ後述するストロボ用コンデンサ及び駆動用モータが配設されている。そして、これら第１及び第２の空間との間に第３の空間が規定されることになって、この第３の空間にレンズユニット筐体３２ａ（つまり、レンズユニット）が配設される。そして、この切り欠き部５１にはカメラ筐体１１の上端側からスライドカバー部１２がその開口端側から実線矢印で示す方向に挿入されて、スライドカバー部１２はカメラ筐体１１に対してスライド可能に保持される。
【００３４】
図７に示すように、第３の空間に配置されたレンズユニット筐体３２ａの左側において、第１の空間にはストロボ用コンデンサ３３が配置され、このストロボ用コンデンサ３３はストロボ発光部１３を駆動するストロボユニット１３ａに接続されている。なお、図示はしないが、ストロボユニット１３ａはスライドカバー部１２に収納されている。
【００３５】
一方、レンズユニット筐体３２ａの右側において第２の空間には駆動用モータ３４が配置されており、この駆動用モータ３４は後述するようにレンズユニット筐体３２ａに設けられた腕部３２ｂに取り付けられている。そして、図７には示されていないが、ストロボ用コンデンサ３３は後述する前カバーとベース部材との間において第１の空間に配置され、駆動用モータ３４は前カバーとベース部材との間において第２の空間に配置されている。そして、前面カバーと後述する制御基板との間において、カメラ筐体１１の下部側には（つまり、レンズユニット筐体３２ａの下側には）、バッテリ３１が配設されている。
【００３６】
図８は電子カメラ１０をカメラ筐体１１を省略して正面側から示す斜視図であり、図９は電子カメラ１０をカメラ筐体１１を省略して示す正面図、図１０は電子カメラ１０をカメラ筐体１１を省略して背面側から示す斜視図、図１１は電子カメラ１０をカメラ筐体１１を省略して示す背面図、図１２は電子カメラ１０をカメラ筐体１１を省略して示す側面図である。図８〜図１２を参照して、電子カメラ１０は、バッテリ３１、撮像レンズ体２１を有するレンズユニット３２、ストロボ用コンデンサ３３、駆動用モータ３４、及び制御基板３５を有しており、撮像レンズ体２１はカメラ筐体（図８には示さず）の中心部よりも上部側に配置されている。一方、バッテリ３１は撮像レンズ体２１の下側に配置され、バッテリ３１よりも上側にストロボ用コンデンサ３３及び駆動用モータ３４が配置されている。
【００３７】
図８に示すように、制御基板３５はベース部材３６の下部側に固定されており、この制御基板３５には複数の電子部品が搭載されている（この制御基板３５は主基板である）。つまり、ベース部材３６の前面側の表面下部には制御基板３５が固定され、制御基板３５の前面側にはバッテリ３１が配置されている（つまり、制御基板３５と前カバー１１ａ（図８には示さず）の下部側とによって規定される空間にバッテリ３１が配置されている）。そして、ベース部材３６の後側の表面下部には副基板３７が固定されて、この副基板３７には操作部１５が搭載されている（図１０参照）。
【００３８】
一方、ベース部材３６の上部側において、ベース部材３６の後面側の表面には、ＬＣＤ１４が配設され、ベース部材３６の上部側は、図８に示すように、その中央部分が上側から下側に向かってコ字状に切り取られて切り欠き部が形成されている。そして、この切り欠き部に対応付けてレンズユニット３２が配置され、このレンズユニット３２とＬＣＤ１４とが対応付けられている。前述したように、レンズユニット３２は、シャッタ機構及びＣＣＤを有しており、これらシャッタ機構、ＣＣＤ、及び撮像レンズ体２１はレンズユニット筐体３２ａに支持されている。
【００３９】
撮像レンズ体２１はレンズユニット筐体３２ａに対して正面側に進退自在に支持されており、この撮像レンズ体２１は駆動用モータ３４によって駆動される。図８に示すように、レンズユニット筐体３２ａにはその右側において上方に延びる腕部３２ｂが形成されており、この腕部３２ｂの先端部分に駆動用モータ３４が取り付けられている。
【００４０】
図示はしないが、前述した前カバー１１ａ及び後カバー１１ｂもベース部材３６と同様にして切り欠き部が形成されており、駆動用モータ３４は腕部３２ｂに支持されて、前カバー１１ａとベース部材３６とによって規定される空間に位置付けられている。さらに、前述のストロボ用コンデンサ３３は、撮像レンズ体２１の左側において、前カバー１１ａとベース部材３６とによって規定された空間に配設されている。図１２に示すように、ベース部材３６の下端側には、メモリ４１を保持するためのメモリ保持部３６ａが形成され、前述の蓋部材２３を開けて、メモリ保持部３６ａにメモリ４１を挿入する。
【００４１】
上述の説明から明らかなように、カメラ筐体１１の上部側に被写体側から順次レンズユニット３２、ＬＣＤ１４が積層配置され、カメラ筐体１１の下部側にバッテリ３１、制御基板（主基板）３５、メモリ保持部３６ａ、及び副基板３７が順次積層配置されていることになる。さらに、ベース部材３６には、カメラ筐体１１の上部側で被写体側にレンズユニット３２が固定され、カメラ筐体１１の上部側で被写体側と反対側の後方にＬＣＤ１４が固定されて、さらにカメラ筐体１１の下部側で被写体側に主基板３５が固定されて、カメラ筐体１１の下部側で被写体側と反対側の後方にメモリ保持部３６ａが固定され、主基板３５と前カバー１１ａの下部との間にバッテリ３１が収納されていることになる。
【００４２】
また、図６に関連して説明したスライドカバー部１２は、前カバー１１ａ、後カバー１１ｂ、及びベース部材３６において、その上側端部の略中央部分に略コ字状に切り欠いた切り欠き部５１に配設されて、スライドカバー部１２が上下方向に移動可能となっている。
【００４３】
このように、図示のカメラでは、制御基板、電池、メモリ、撮像レンズ、ＬＥＤ、及びストロボ用コンデンサが適正化される結果、カメラサイズを小型・薄型化できるという効果があり、しかも、縦型であっても、蓋部材を閉じればカメラ自体を蓋部材によって自立しておくことができるという効果がある。特に、カメラ筐体がその上端部側の略中央部分をその長手方向に切り欠いた切り欠き部を備えて、この切り欠き部によって切り欠き部を境として一方側に位置する第１の空間と切り欠き部を境として他方側に位置する第２の空間とを規定して、第１の空間にストロボ用コンデンサを配置し、第２の空間に駆動用モータを配置して、さらに第１及び第２の空間との間に規定された第３の空間に駆動用モータで駆動される撮像レンズ体を備えるレンズユニットを配置するようにしたから、ＬＣＤ、操作部、及びバッテリというデバイスをカメラ筐体の前後方向に２要素づつ積層配置することができる結果、撮像装置のバランスを均等にすることができ、撮像装置の構成要素の配置バランスを最適化して小型・薄型化できることになる。
【産業上の利用可能性】
【００４４】
カメラ筐体の一端部側の略中央部分をその長手方向に切り欠いた切り欠き部を備えて、この切り欠き部によって切り欠き部を境として一方側に位置する第１の空間と切り欠き部を境として他方側に位置する第２の空間とを規定して、第１の空間にストロボ用コンデンサを配置し、第２の空間に駆動用モータを配置して、さらに第１及び第２の空間との間に規定された第３の空間に駆動用モータで駆動される撮像レンズ体を備えるレンズユニットを配置するようにしたから、撮像装置の構成要素の配置バランスを最適化して小型・薄型化できる結果、他のカメラ、ビデオ、携帯電話機等の携帯端末等にも適用することができる。
【図面の簡単な説明】
【００４５】
【図１】本発明の実施例１による電子カメラをスライドカバー部を閉じた状態で正面側（被写体側）から示す斜視図である。
【図２】図１に示す状態において電子カメラを背面側から示す斜視図である。
【図３】本発明の実施例１による電子カメラをスライドカバー部を開いた状態で正面から示す斜視図である。
【図４】図３に示す状態において電子カメラを背面側から示す斜視図である。
【図５】図１に示す状態で電子カメラを蓋部材側を載置部として載置した状態を示す斜視図である。
【図６】本発明の実施例１による電子カメラのカメラ筐体をスライドカバー部を取り外した状態で正面側から示す斜視図である。
【図７】本発明の実施例１による電子カメラをカメラ筐体を省略するとともに撮像レンズ体及びスライドカバー部を省略してスライド発光部とともに正面側から示す斜視図である。
【図８】本発明の実施例１による電子カメラをカメラ筐体を省略して正面側から示す斜視図である。
【図９】本発明の実施例１による電子カメラをカメラ筐体を省略して示す正面図である。
【図１０】本発明の実施例１による電子カメラをカメラ筐体を省略して背面側から示す斜視図である。
【図１１】本発明の実施例１による電子カメラをカメラ筐体を省略して示す背面図である。
【図１２】本発明の実施例１による電子カメラをカメラ筐体を省略して示す側面図である。
【符号の説明】
【００４６】
１０  電子カメラ
１１  カメラ筐体
１２  スライドカバー部
１３  ストロボ発光部
１４  表示部（液晶ディスプレイ）
１５  操作部
２１  撮像レンズ体
２２  シャッターボタン
２３  蓋部材
３１  バッテリ
３２  レンズユニット
３３  ストロボ用コンデンサ
３４  駆動用モータ
３５  制御基板（主基板）
３６  ベース部材
３７  副基板
５１  切り欠き部
【図１】
2006064780.tif 000003
【図２】
2006064780.tif 000004
【図３】
2006064780.tif 000005
【図４】
2006064780.tif 000006
【図５】
2006064780.tif 000007
【図６】
2006064780.tif 000008
【図７】
2006064780.tif 000009
【図８】
2006064780.tif 000010
【図９】
2006064780.tif 000011
【図１０】
2006064780.tif 000012
【図１１】
2006064780.tif 000013
【図１２】
2006064780.tif 000014